(57)【要約】      （修正有）【課題】多様な接続方法に対応できる端子の接続構造を提供する。【解決手段】ハウジングに収納されるベース２０に一対のタブ端子６２，６３を設けるとともに、前記タブ端子６２，６３の並設した一対の端子部６２ｃ，６３ｃを、外部端子にそれぞれ接続できるように前記ハウジングから露出させた端子の接続構造である。このため、一対の前記タブ端子６２，６３で端子板６１を挟持するように配置した端子ユニット６０を、前記ベース２０に取替え可能とした。【選択図】図５
2015125980.tif 000002
【特許請求の範囲】
【請求項１】
ハウジングに収納されるベースに一対のタブ端子を設けるとともに、前記タブ端子の並設した一対の端子部を、外部端子にそれぞれ接続できるように前記ハウジングから露出させた端子の接続構造であって、
一対の前記タブ端子で端子板を挟持するように配置した端子ユニットを、前記ベースに取替え可能としたことを特徴とする端子の接続構造。
【請求項２】
一対の前記タブ端子の端子部が、前記ハウジングの表面に交差するように延在していることを特徴とする請求項１に記載の端子の接続構造。
【請求項３】
一対の前記タブ端子の端子部が、前記ハウジングの表面に沿うように延在していることを特徴とする請求項１に記載の端子の接続構造。
【請求項４】
一対の前記タブ端子の端子部の間に一対のナットを配置することにより、前記端子部に前記ナットを介して前記外部端子をネジ止めすることを特徴とする請求項１ないし３のいずれか１項に記載の端子の接続構造。
【請求項５】
一対の前記タブ端子の端子部の間に一対のバネ部材を配置することにより、前記端子部に前記外部端子を前記バネ部材のバネ力で圧接することを特徴とする請求項１ないし３のいずれか１項に記載の端子の接続構造。
【請求項６】
一対の前記タブ端子の端子部の間に絶縁壁を配置したことを特徴とする請求項１ないし５のいずれか１項に記載の端子の接続構造。
【請求項７】
前記絶縁壁が、断面門型の絶縁部材の天井面に一体成形されていることを特徴とする請求項６に記載の端子の接続構造。
【請求項８】
一対の前記タブ端子の端子部を、位置規制板に設けた一対の端子孔に挿入して位置規制することを特徴とする請求項１ないし７のいずれか１項に記載の端子の接続構造。
【発明の詳細な説明】
【技術分野】
【０００１】
端子、例えば、電動工具の中継端子の接続構造に関する。
【背景技術】
【０００２】
従来、電動工具の中継端子の接続構造としては、補助巻線に直列に接続される正特性サーミスタと、挿脱可能な接続ピンとの間で電気的接続を行うソケット端子とを有し、主巻線及び補助巻線からなる単相誘導電動機の起動装置において、前記ソケット端子は、接続ピンの軸方向の側方へ延在する一対の板部を内側に折り曲げ、先端を接続ピンの円柱形状に合致可能なよう円弧状に形成すると共に、先端を互いに離間させてなる接続ピン保持部を備え、前記接続ピン保持部が、接続ピンの軸方向と垂直方向のスリットにより先端側の第１部位と奥側の第２部位とに２分割されていることを特徴とする単相誘導電動機の起動装置がある。
【先行技術文献】
【特許文献】
【０００３】
【特許文献１】特開２００５−７３３２９号公報
【発明の概要】
【発明が解決しようとする課題】
【０００４】
しかしながら、前述の中継端子の接続構造では、その図１Ｂに示す単相誘導電動機に起動装置１０を接続することが開示されているにすぎない。このため、複数の顧客の要求に応じて異なる接続仕様で接続しようとすると、起動装置１０を設計変更する必要がある。また、前記顧客ごとに、異なる中継端子の接続構造を備えた単相誘導電動機１００の中間製品を在庫しなければならないという問題点がある。
本発明は、前記問題点に鑑み、多様な接続方法に対応できる端子の接続構造を提供することを目的とする。
【課題を解決するための手段】
【０００５】
本発明に係る端子の接続構造としては、前記課題を解決すべく、ハウジングに収納されるベースに一対のタブ端子を設けるとともに、前記タブ端子の並設した一対の端子部を、外部端子にそれぞれ接続できるように前記ハウジングから露出させた端子の接続構造であって、一対の前記タブ端子で端子板を挟持するように配置した端子ユニットを、前記ベースに取替え可能とした構成としてある。
【発明の効果】
【０００６】
本発明によれば、一対のタブ端子を配置した端子ユニットを取替え可能としてあるので、顧客のニーズに合わせて一対のタブ端子を選択できる。このため、ベースを設計変更することなく外部端子を接続でき、便利である。
また、端子ユニットを除いたベースを共用できるので、顧客のニーズ毎に中間製品を在庫する必要がなくなり、在庫管理が容易になる。
【０００７】
本発明の実施形態としては、一対の前記タブ端子の端子部が、前記ハウジングの表面に交差するように延在していてもよい。
本実施形態によれば、ハウジングの表面に外部端子を押し付けるようにして接続でき、外部端子の接続作業が容易である。
【０００８】
本発明の他の実施形態としては、一対の前記タブ端子の端子部が、前記ハウジングの表面に沿うように延在していてもよい。
本実施形態によれば、外部端子の接続方法の選択範囲が広がり、設計の自由度が大きくなる。
【０００９】
本発明の別の実施形態としては、一対の前記タブ端子の端子部の間に一対のナットを配置することにより、前記端子部に前記ナットを介して前記外部端子をネジ止めしてもよい。
本実施形態によれば、タブ端子と外部端子との接続強度が大きくなり、信頼性の高い端子の接続構造が得られる。
また、ナットを含めた容積が増大するので、電気抵抗が小さくなり、タブ端子に流れる電流による発熱量を抑制できるとともに、放熱性にも優れている。
【００１０】
本発明の異なる実施形態としては、一対の前記タブ端子の端子部の間に一対のバネ部材を配置することにより、前記端子部に前記外部端子を前記バネ部材のバネ力で圧接させてもよい。
本実施形態によれば、タブ端子の端子部とバネ部材との間に外部端子を圧入するだけで接続できるので、ワンタッチで接続でき、接続作業が簡単な端子の接続構造が得られる。
【００１１】
本発明の新たな実施形態としては、一対の前記タブ端子の端子部の間に絶縁壁を配置しておいてもよい。
本実施形態によれば、絶縁距離が長くなり、安全性の高い端子の接続構造が得られる。
【００１２】
本発明の異なる実施形態としては、前記絶縁壁が、断面門型の絶縁部材の天井面に一体成形しておいてもよい。
本実施形態によれば、床面積が小さい端子ユニットが得られ、占有スペースの小さい端子の接続構造が得られる
【００１３】
本発明の別の実施形態としては、一対の前記タブ端子の端子部を、位置規制板に設けた一対の端子孔に挿入して位置規制してもよい。
本実施形態によれば、一対の端子部の位置決め精度が高くなり、外部端子との接続作業にバラツキのない端子の接続構造が得られるという効果がある。
【図面の簡単な説明】
【００１４】
【図１】本発明に係る第１実施形態のトリガースイッチを示す斜視図である。
【図２】図１で示したトリガースイッチの正面断面図である。
【図３】図１で示したトリガースイッチの右側面の部分断面斜視図である。
【図４】図１で示したトリガースイッチの分解斜視図である。
【図５】図４で示した分解斜視図の部分拡大斜視図である。
【図６】図１で示したトリガースイッチからハウジングを除去した状態を示す斜視図である。
【図７】図１で示したトリガースイッチの要部拡大斜視図である。
【図８】図Ａ，Ｂは図１で示したトリガースイッチの要部拡大斜視図である。
【図９】図Ａ，Ｂは図１で示したトリガースイッチの要部拡大斜視図である。
【図１０】図Ａ，Ｂは図１で示したトリガースイッチの要部拡大斜視図である。
【図１１】本発明に係る第２実施形態のトリガースイッチを示す斜視図である。
【図１２】図１１で示したトリガースイッチの正面断面図である。
【図１３】図１１で示したトリガースイッチの要部分解斜視図である。
【図１４】図１１で示したトリガースイッチからハウジング等を除去した状態を示す要部拡大斜視図である。
【図１５】図１１で示したトリガースイッチの要部拡大斜視図である。
【図１６】本発明に係る第３実施形態のトリガースイッチを示す斜視図である。
【図１７】図１６で示したトリガースイッチの正面断面図である。
【図１８】図１６で示したトリガースイッチの右側面の部分断面図である。
【図１９】図１６で示したトリガースイッチの要部分解斜視図である。
【図２０】図１６で示したトリガースイッチからハウジング等を除去した状態を示す斜視図である。
【図２１】図Ａ，Ｂは図１６で示したトリガースイッチの要部拡大斜視図である。
【図２２】本発明に係る第４実施形態のトリガースイッチを示す斜視図である。
【図２３】図２２で示したトリガースイッチの正面断面図である。
【図２４】図２２で示したトリガースイッチの右側面の部分断面図である。
【図２５】図Ａ，Ｂは図２２で示したトリガースイッチの要部分解斜視図および絶縁部材の斜視図である。
【図２６】図Ａ，Ｂは図２２で示したトリガースイッチの要部拡大斜視図である。
【発明を実施するための形態】
【００１５】
本発明に係る端子の接続構造を図１ないし図２６の添付図面に従って説明する。
第１実施形態に係る端子の接続構造は、図１ないし図１０に示すように、電動工具用トリガースイッチに適用した場合であり、特に、上方に突出するモータ用タブ端子をユニット化した場合である。
すなわち、前記トリガースイッチは、図４および図５に示すように、第１カバー１１と第２カバー１６とを組み合わせて形成されたハウジング１０内に、ベース２０、プランジャ４０、プリント基板５０等の内部構成部品を組み込むとともに、トリガ５５、端子ユニット６０および操作レバー７０を組み付けたものである。また、前記プリント基板５０等の内部構成部品にはリード線１８ａ，１８ｂ，１８ｃを介してソケット１９を接続してある。
【００１６】
第１カバー１１は、図４に示すように、その上面の一方側に後述する操作レバー７０を支持するための半円形の嵌合凹部１２を設けてあるとともに、その上面の他方側に後述する端子ユニット６０が露出する切り欠き部１３を設けてある。また、前記第１カバー１１は、その片側の外側面に、前記トリガ５５の操作軸４１を支持するための半円形リブ１４を設けてあるとともに、ガイド片１５を側方に突設してある。
【００１７】
第２カバー１６は、図４に示すように、前記第１カバー１１に突き合わせ可能な正面形状を有し、その上面の一方側に後述する操作レバー７０を支持するための嵌合凹部（図示せず）、および、抜け止めするための半円形のリブ１７を設けてある。また、前記第２カバー１６は、その上面の他方側に後述する端子ユニット６０が露出する切り欠き部１８を設けてある。そして、前記第２カバー１６は、その片側の外側面に、前記プランジャ４０の操作軸４１を支持するための半円形リブ（図示せず）を設けてある。
なお、前記第２カバー１６の接合面のうち、後述するプランジャ４０の操作軸４１、端子ユニット６０および操作レバー７０が取り付けられる部分以外の接合面は、前記第１カバー１１に超音波溶着あるいは接着剤で一体化される。
【００１８】
前記ベース２０は、図４に示すように、正面略コ字形状の箱形状であり、その上面に位置決め凹所２１を設けるとともに、前記位置決め凹所２１に連通する段部２２を設けてある。また、前記ベース２０は、その内部に第１中継端子３０を組み込んであるとともに、その下端部に第１，第２電源端子３５，３６を組み付けてある。
前記第１中継端子３０は、その上端部に位置する固定接点部３０ａを、前記ベース２０の上面片側縁部（図７）に配置する一方、その下端部に可動接触片３１を回動可能に支持するとともに、電子部品３２を介して第２中継端子３３の下端部に接続してある。また、前記第１中継端子３０の側面には固定接点３０ｂを設けてある一方、前記可動接触片３１は付勢バネ３４を介して下方側に付勢されている。そして、前記可動接触片３１の一端部に固定した可動接点３１ａが、前記第１電源端子３５に取り付けた固定接点３５ａに接離可能に対向する。
前記第２中継端子３３は、前記ベース２０の外側面に取り付けられ、その上端部に位置する固定接点部３３ａを前記ベース２０の上面片側縁部に配置し、前記固定接点部３０ａに並設してある（図７）。
【００１９】
前記プランジャ４０は、図４に示すように、側方に突出する操作軸４１を備えるとともに、その外側面に一対の摺動子４２，４２を組み込んである。また、図７に示すように、前記プランジャ４０は小コイルバネ４３を介して可動接触片４４を組み込んである。前記可動接触片４４は、プランジャ４０の復帰時に前記第１中継端子３０に設けた固定接点３０ｂに接触することにより、モータを逆回転させる電流を流し、急停止させる機能を有する。
そして、前記プランジャ４０は、図２に示すように、前記ベース２０内に、大コイルバネ４５を介して軸心方向にスライド可能に嵌合してある。このため、前記プランジャ４０をスライド移動させることにより、前記プランジャ４０に取り付けた一対の前記摺動子４２，４２が、後述するプリント基板５０の図示しない摺動抵抗体に沿って摺動し、抵抗値を変化させる。
【００２０】
前記プリント基板５０は、図６に示すように、前記ベース２０の開口部を被覆可能な正面形状を有し、その内向面に図示しない摺動抵抗体をプリントしてある。そして、前記プリント基板５０は、前記プランジャ４０を収納したベース２０に嵌め込んで組付けることにより、前記ベース２０に一体化される。
【００２１】
前記トリガ５５は、図２に示すように、前記プランジャ４０の操作軸４１の自由端部に係合してある。このため、前記トリガ５５および前記プランジャ４０は、前記大コイルバネ４５を介し、前記ハウジング１０から外方に押し出すように付勢されている。
なお、前記操作軸４１に挿通した蛇腹状筒体４６は、その一端部を抜け止めコイルリング４７を介して前記トリガ５５に抜け止めする一方、その他端部を第１，第２カバー１１，１６の半円形リブ１４に係合してある。
【００２２】
端子ユニット６０は、図５に示すように、端子板６１と、タブ端子６２と、共通タブ端子６３と、位置規制板６４と、絶縁部材６５とで構成されている。
すなわち、前記端子板６１は、その上面中央に突設した支軸部６１ａの片側に端子孔６１ｂを設けるとともに、他の片側縁部に一対のクリック感用突起６１ｃ，６１ｃを突設する一方、その下面に突条６１ｄを突設してある。また、前記タブ端子６２は、一対の第１，第２固定接点部６２ａ，６２ｂを平行に延在してあるとともに、端子部６２ｃを曲げ起こしてある。そして、前記タブ端子６２は、その端子部６２ｃを前記端子板６１の端子孔６１ｂに下方側から挿入して組み付けられる。そして、前記共通タブ端子６３は、その水平部の先端に共通固定接点部６３ａを有するとともに、その水平部の中央に貫通孔６３ｂを設ける一方、端子部６３ｃを曲げ起こしてある。さらに、前記位置規制板６４は、その中央に貫通孔６４ａを設けるとともに、その両側に端子孔６４ｂ，６４ｃを設けてある。ついで、前記絶縁部材６５は、前記位置規制板６４に載置可能な平面略Ｈ字形状を有し、その中央に絶縁壁６５ａを有している。
【００２３】
このため、前記端子ユニット６０は、端子板６１の端子孔６１ｂに下方側からタブ端子６２の端子部６２ｃを挿入する一方、前記端子板６１の支軸部６１ａに共通タブ端子６３の貫通孔６３ｂを嵌合する。ついで、前記端子部６２ｃ，６３ｃに位置規制板６４の端子孔６４ｃ，６４ｂをそれぞれ嵌合して位置規制した後、前記位置規制板６４に平面略Ｈ字形状の絶縁部材６５を載置することにより、前記端子部６２ｃ，６３ｃが前記絶縁部材６５の絶縁壁６５ａで仕切られ（図３）、前記端子ユニット６０の組立作業が完了する。
【００２４】
操作レバー７０は、図４および図５に示すように、その一端部に操作レバー用コイルバネ７１を介して鋼玉７２を外方に付勢するように組み付けるとともに、その一端側の下面に切換用コイルバネ７３，７４を介して一対の第１，第２回動接触片７５，７６を組み付けてある。
そして、前記操作レバー７０は、その鍔部の直下に突設した回動軸部７０ａを、シールリング７７を介し、前記第１，第２カバー１１，１６の半円形の嵌合凹部１２で回動可能に支持される。このため、前記操作レバー７０を前記回動軸部７０ａを支点として回動させると、図７に示すように、第１，第２回動接触片７５，７６が回動する。この結果、第１，第２中継端子３０，３３の固定接点部３０ａ，３３ａと、タブ端子６２の第１，第２固定接点部６２ａ，６２ｂおよび共通タブ端子６３の共通固定接点部６３ａと、が交互に切り替わり、モータの回転方向を逆転させることができる。
【００２５】
組立方法としては、まず、前記ベース２０に前記第１，第２中継端子３０，３３を組み付けるとともに、トリガ５５および蛇腹状筒体４６を装着したプランジャ４０、プリント基板５０を組み付ける。さらに、前記ベース２０の上面に設けた位置決め凹所２１に端子ユニット６０を設置する。これにより、端子板６１の突条６１ｄが前記位置決め凹所２１の底面に当接するとともに、一端縁部がベース２０の段部２２に載置される。このため、前記第１，第２中継端子３０，３３の固定接点部３０ａ，３３ａと、前記タブ端子６２の第１，第２固定接点部６２ａ，６２ｂと、前記共通タブ端子６３の共通固定接点部６３ａと、が面一となる。
【００２６】
一方、操作レバー７０に、切換用コイルバネ７３，７４および第１，第２回動接触片７５，７６をそれぞれ組み込むとともに、操作レバー用コイルバネ７１および鋼玉７２を組み込む。そして、前記操作レバー７０を、ベース２０に組み付けた後、前記ベース２０の両側から第１，第２カバー１１，１６を組み付けることにより、前記プランジャ４０、前記端子ユニット６０および前記操作レバー７０を抜け止めする。ついで、前記第１，第２カバー１１，１６を超音波溶着あるいは接着剤で接合一体化することにより、組立作業が完了する。
【００２７】
次に、トリガースイッチの操作を簡単に説明する。
操作レバー７０が図６に示すように中立位置にあるとき、操作レバー７０の一端部がトリガ５５の中央突部に当接することにより、トリガ５５を引き込めず、誤操作を防止する。
そして、図７に示す状態から、前記操作レバー７０を反時計回りに回転させることにより、第１回動接触片７５が固定接点部３０ａおよび共通固定接点部６３ａに接触するとともに、第２回動接触片７６が固定接点部３３ａおよび第２固定接点部６２ｂに接触する。ついで、トリガ５５を引き込む直前には、摺動子４２，４２がプリント基板５０の摺動抵抗体（図示せず）に接触して最大抵抗値で接触している。一方、可動接触片３１は大コイルバネ４５に付勢されたプランジャ４０で位置規制され、可動接点３１ａが固定接点３５ａから開離している一方、可動接触片４４が小コイルバネ４３のバネ力で固定接点３０ｂに接触している。
【００２８】
まず、作業者がトリガ５５を僅かに引き込むと、操作軸４１に係合するプランジャ４０がスライド移動する。このとき、可動接触片３１が回動し、可動接点３１ａが固定接点３５ａに接触することにより、回路に通電を開始する。
【００２９】
そして、トリガ５５が引き込まれ、前記プランジャ４０に組み付けた摺動子４２，４２がプリント基板５０の摺動抵抗体上に接触した時点で図示しないモータが低速で回転し始める。そして、前記摺動子４２，４２が摺動するにつれて抵抗が小さくなり、流れる電流が増加し、モータの回転数が増大する。
【００３０】
さらに、トリガ５５が引き込まれ、操作軸４１がベース２０の奧側まで押し込まれると、摺動抵抗値がゼロ近傍となり、最大電流が流れてモータの回転数が最大になる。
【００３１】
ついで、作業者がトリガ５５を引き込む力を緩めると、大コイルバネ４５のバネ力によってプランジャ４０および操作軸４１が押し戻され、モータの回転が徐々に遅くなる。そして、元の状態に復帰すると、可動接触片３１の可動接点３１ａが固定接点３５ａから開離した後、可動接触片４４が固定接点３０ｂに接触し、モータを逆方向に回転させる電流が流れ、モータが確実に停止する。
【００３２】
また、前記操作レバー７０を、回動軸部７０ａを中心として時計回り方向に回転させることにより、第１回動接触片７５がクリック感用突起６１ｃを乗り越え、固定接点部３０ａおよび第１固定接点部６２ａに接触する。一方、第２回動接触片７６がクリック感用突起６１ｃを乗り越え、固定接点部３３ａおよび共通固定接点部６３ａに接触する。このため、前述と同様にトリガ５５を引き込むと、モータが逆回転する。
【００３３】
第２実施形態は、図１１ないし図１５に図示するように、前述の第１実施形態とほぼ同様であり、大きく異なる点はタブ端子の突出方向を側方にした点である。
すなわち、端子ユニット６０の端子板６１は、図１３に示すように、その上面片側縁部に略Ｌ字形状の端子スリット６１ｅを設けるとともに、他の片側縁部に一対のクリック感用突起６１ｃ，６１ｃを突設してある。また、前記タブ端子６２は、その一端を水平方向に延在し、かつ、略コ字形に屈曲することにより、一対の第１，第２固定接点部６２ａ，６２ｂを平行に形成してあるとともに、端子部６２ｃを平面略Ｌ字形状に屈曲してある。そして、前記タブ端子６２は、その端子部６２ｃを前記端子板６１の端子スリット６１ｅに挿入して組み付けられる。また、前記共通タブ端子６３は、その水平部の先端に共通固定接点部６３ａを有するとともに、その垂直部を平面略Ｌ字形状に屈曲して端子部６３ｃを形成してある。また、本実施形態では、前記位置規制板は設けられていないが、絶縁部材６５が設けられている。前記絶縁部材６５は平面略コ字形状の枠体の中に平面略Ｌ字形状の絶縁壁６５ａを一体成形している。
【００３４】
このため、前記端子ユニット６０は、端子板６１の端子スリット６１ｅに下方側からタブ端子６２の端子部６２ｃを挿入する。さらに、前記端子板６１の上面に共通タブ端子６３を載置して位置決めし、ついで、前記絶縁部材６５載置することにより、前記絶縁壁６５ａで、前記端子部６２ｃ，６３ｃを仕切る（図１２）。他は第１実施形態とほぼ同様に組み付けることにより、組立作業が完了する。
なお、他の部材は第１実施形態と同様であるので、同一部分に同一番号を付して説明を省略する。
【００３５】
本実施形態によれば、前記タブ端子６２の端子部６２ｃおよび共通タブ端子６３の端子部６３ｃに、外部ソケットを側方から圧入して接続できる。このため、接続方法について選択の範囲が広がり、便利になるだけでなく、端子ユニットを除いてトリガースイッチ本体を共用できることから、トリガースイッチの中間製品の在庫を少なくできるという利点がある。
【００３６】
第３実施形態は、図１６ないし図２１に図示するように、前述の第１実施形態とほぼ同様であり、大きく異なる点はタブ端子をナット端子にした点である。
すなわち、端子ユニット６０は、図１９に示すように、第１実施形態と同様であり、端子板６１と、タブ端子６２と、共通タブ端子６３と、位置規制板６４と、絶縁部材６５とで構成されている。
すなわち、前記端子板６１は、その上面中央に突設した支軸部６１ａの片側に端子孔６１ｂを設けるとともに、その片側縁部に一対のクリック感用突起６１ｃ，６１ｃを突設する一方、その下面に突条６１ｄを突設してある。また、前記タブ端子６２は、一対の第１，第２固定接点部６２ａ，６２ｂを平行に延在してあるとともに、端子部６２ｃを曲げ起こしてある。そして、前記タブ端子６２は、その端子部６２ｃを前記端子板６１の端子孔６１ｂに下方側から挿入して組み付けられる。さらに、前記共通タブ端子６３は、その水平部の先端に共通固定接点部６３ａを有するとともに、その水平部の中央に貫通孔６３ｂを設ける一方、端子部６３ｃを曲げ起こして形成してある。さらに、前記位置規制板６４は、その中央に貫通孔６４ａを設けるとともに、その両側に端子孔６４ｂ，６４ｃを設けてある。ついで、前記絶縁部材６５は、前記位置規制板６４に載置可能な門型枠体であり、その天井面から下方側に絶縁壁６５ａを突設している（図１８）。
【００３７】
このため、前記端子ユニット６０は、端子板６１の端子孔６１ｂに下方側からタブ端子６２の端子部６２ｃを挿入する一方、前記端子板６１の支軸部６１ａに共通タブ端子６３の貫通孔６３ｂを嵌合する。さらに、前記端子部６２ｃ，６３ｃに位置規制板６４の端子孔６４ｃ，６４ｂをそれぞれ嵌合して位置規制する。ついで、前記端子部６２ｃ，６３ｃの間に１対のナット６６，６６を配置するとともに、前記位置規制板６４の上面に絶縁部材６５を載置することにより、前記ナット６６，６６が前記絶縁部材６５の絶縁壁で仕切られる（図１８）。
なお、他は第１実施形態と同様であるので、同一部分に同一番号を付して説明を省略する。
【００３８】
本実施形態によれば、タブ端子６２および共通タブ端子６３に、前記ナット６６，６６にそれぞれ螺合するボルト（図示せず）を介して外部端子（図示せず）を接続できる。このため、本実施形態によれば、前記外部端子を強固に接続でき、信頼性の高い接続構造が得られる。また、ナット６６およびボルトを含めた容積が増大するので、電気抵抗が小さくなり、タブ端子に流れる電流による発熱量を抑制できるとともに、放熱性にも優れている。
【００３９】
第４実施形態は、図２２ないし図２６に図示するように、前述の第１実施形態とほぼ同様であり、大きく異なる点はタブ端子をプッシュイン構造にした点である。
すなわち、図２５に図示するように、第１実施形態と同様であり、端子板６１と、タブ端子６２と、共通タブ端子６３と、位置規制板６４と、絶縁部材６５とで構成されている。
【００４０】
前記端子板６１は、その上面中央に突設した支軸部６１ａの片側に端子孔６１ｂを設けるとともに、他の片側縁部に一対のクリック感用突起６１ｃ，６１ｃを突設する一方、その下面に突条６１ｄを突設してある。
また、前記タブ端子６２は、一対の第１，第２固定接点部６２ａ，６２ｂを平行に延在してあるとともに、端子部６２ｃを曲げ起こしてある。そして、前記タブ端子６２は、その端子部６２ｃを前記端子板６１の端子孔６１ｂに下方側から挿入して組み付けられる。
そして、前記共通タブ端子６３は、その水平部の先端に共通固定接点部６３ａを有するとともに、その水平部の中央に貫通孔６３ｂを設ける一方、端子部６３ｃを曲げ起こして形成してある。
さらに、前記位置規制板６４は、その中央に貫通孔６４ａを設けるとともに、その両側に端子孔６４ｂ，６４ｃを設けてある。
ついで、前記絶縁部材６５は、前記位置規制板６４に載置可能な箱形状であり、その天井面に絶縁壁６５ａを下方側に突設しているとともに（図２５Ｂ）、その上面に一対の端子孔６５ｂ，６５ｂを有する。さらに、前記絶縁部材６５は、その片側開口部から圧入可能な断面略Ｔ字形状のスリット６５ｃ，６５ｃを設けてある。
【００４１】
このため、前記端子ユニット６０は、端子板６１の端子孔６１ｂに下方側からタブ端子６２の端子部６２ｃを挿入する一方、前記端子板６１の支軸部６１ａに共通タブ端子の貫通孔６３ｂを嵌合する。さらに、前記端子部６２ｃ，６３ｃに位置規制板６４の端子孔６４ｃ，６４ｂを嵌合して位置規制する。ついで、前記端子部６２ｃ，６３ｃの間に１対のバネ部材６７，６７を配置するとともに、位置規制板６４の上面に絶縁部材６５を載置することにより、前記バネ部材６７，６７の間が前記絶縁部材６５の絶縁壁６５ａで仕切られる（図２４）。
なお、他は第１実施形態と同様であるので、同一部分に同一番号を付して説明を省略する。
【００４２】
本実施形態によれば、外部からピン端子（図示せず）を絶縁部材６５の端子孔６５ｂ，６５ｂから挿入すると、前記ピン端子が、前記端子部６２ｃ，６３ｃと、前記バネ部材６７，６７のバネ部６７ａ，６７ａとでそれぞれ挟持される。このため、本実施形態によれば、ピン端子をワンタッチで接続でき、作業性の良い端子の接続構造が得られる。
また、プッシュ方式の端子の接続構造は、本実施形態のように、上向きのタブ端子に適用するだけでなく、第２実施形態のように横向きのタブ端子にも適用できることは勿論である。
【００４３】
本実施形態では、２本の第１，第２中継端子３０，３３の固定接点部３０ａ，３３ａと、タブ端子６２の第１，第２固定接点部６２ａ，６２ｂおよび共通タブ端子６３の共通固定接点部６３ａとを、第１，第２回動接触片７５，７６で交互に切り替える場合について説明した。
しかし、必ずしもこれに限らず、例えば、１本の中継端子の固定接点部と、タブ端子の固定接点部および共通タブ端子の共通固定接点部とを、１つの回動接触片で切り替えるようにしてもよい。
また、２本の第１，第２中継端子の固定接点部と、タブ端子の固定接点部および共通タブ端子の共通固定接点部とを、第１，第２回動接触片で切り替えるようにしてもよい。
【産業上の利用可能性】
【００４４】
本発明に係る端子の接続構造は、電動工具用トリガースイッチに適用する場合に限らず、他の電気機器に適用してもよいことは勿論である。
【符号の説明】
【００４５】
１０  ハウジング
１１  第１カバー
１３  切り欠き部
１６  第２カバー
１８  切り欠き部
２０  ベース
２１  位置決め凹所
２２  段部
３０  第１中継端子
３０ａ  固定接点部
３０ｂ  固定接点
３１  可動接触片
３２  電子部品
３３  第２中継端子
３３ａ  固定接点部
３４  付勢バネ
３５  第１電源端子
３６  第２電源端子
４０  プランジャ
４１  操作軸
４２  摺動子
４３  小コイルバネ
４４  可動接触片
４５  大コイルバネ
４６  蛇腹状筒体
５０  プリント基板
５５  トリガ
６０  端子ユニット
６１  端子板
６１ａ  支軸部
６１ｂ  端子孔
６１ｃ  クリック感用突起
６１ｄ  突条
６１ｅ  端子スリット
６２  タブ端子
６２ａ  第１固定接点部
６２ｂ  第２固定接点部
６２ｃ  端子部
６３  共通タブ端子
６３ａ  共通固定接点部
６３ｂ  貫通孔
６３ｃ  端子部
６４  位置規制板
６４ａ  貫通孔
６４ｂ  端子孔
６４ｃ  端子孔
６４ｄ  位置規制板
６５  絶縁部材
６５ａ  絶縁壁
６５ｂ  端子孔
６５ｃ  スリット
６７  バネ部材
６７ａ  バネ部
７０  操作レバー
７０ａ  回動軸部
【図１】
2015125980.tif 000003
【図２】
2015125980.tif 000004
【図３】
2015125980.tif 000005
【図４】
2015125980.tif 000006
【図５】
2015125980.tif 000007
【図６】
2015125980.tif 000008
【図７】
2015125980.tif 000009
【図８】
2015125980.tif 000010
【図９】
2015125980.tif 000011
【図１０】
2015125980.tif 000012
【図１１】
2015125980.tif 000013
【図１２】
2015125980.tif 000014
【図１３】
2015125980.tif 000015
【図１４】
2015125980.tif 000016
【図１５】
2015125980.tif 000017
【図１６】
2015125980.tif 000018
【図１７】
2015125980.tif 000019
【図１８】
2015125980.tif 000020
【図１９】
2015125980.tif 000021
【図２０】
2015125980.tif 000022
【図２１】
2015125980.tif 000023
【図２２】
2015125980.tif 000024
【図２３】
2015125980.tif 000025
【図２４】
2015125980.tif 000026
【図２５】
2015125980.tif 000027
【図２６】
2015125980.tif 000028